(57)【要約】【課題】発光タイルの高電位内部電極を外部に引き出すため内部コネクタ端子から面状発光装置外部までの絶縁沿面距離を十分に確保可能とする。【解決手段】発光タイル７と電極保持プレート１１それぞれのコネクタ端子２９，１１ｄ同士を接続する場合、電極保持プレート１１の絶縁遮蔽プレート部１１ｂは、発光タイル７の一方側対向隙間から上記内部コネクタ端子２９よりさらに他方側にまで延在し、ベゼル９の絶縁遮蔽ベゼル部９ａは、隣接する発光タイルの対向隙間に他方側から入り込み内部コネクタ端子２９よりさらに一方側にまで延在していることで、絶縁遮蔽プレート部１１ｂと絶縁遮蔽ベゼル部９ａとが列方向重なり合い、両コネクタ端子２９，１１ｄを接続した状態では、列方向で重なる絶縁遮蔽プレート部１１ｂと絶縁遮蔽ベゼル部９ａとにより内部コネクタ端子２９から隣接するベゼル隣接隙間までの絶縁沿面距離が所定距離以上確保される構造。【選択図】図３
2010033819.tif 000002
【特許請求の範囲】
【請求項１】
装置筐体内に、平面視矩形形状で内部に高電位電極を有する複数の発光タイルを少なくとも列方向に隣接配列し、各発光タイルは列方向一方側に上記高電位電極を外部に引き出す電極引出端子を備えた面状発光装置であって、
平面視形状が発光タイルと同形で当該発光タイルの発光面を底面上に載置して該発光タイルを収納固定する複数の発光タイル固定用のベゼルと、
各発光タイルの列方向対向間近傍において上記隣り合う発光タイルの背面上にまたがる状態で装着される複数の絶縁性電極保持プレートと、
を備え、
上記発光タイルは、高電位電極を外部に引き出す電極引出端子と、この電極引出端子に接続されている内部コネクタ端子とを備え、
上記ベゼルは、その一部に、隣接する発光タイルの対向隙間に一方側から入り込むと共に上記内部コネクタ端子と列方向相対向する位置からさらに上記対向隙間の他方側にまで延在する板状の絶縁遮蔽ベゼル部を備え、
上記電極保持プレートは、列方向隣接する各発光タイルの対向隙間で、上記発光タイルの内部コネクタ端子にコネクタ接続されると共に絶縁モールドされた外部コネクタ端子を備え、
上記電極保持プレートは、その一部に、隣接する発光タイルの対向隙間に他方側から入り込むと共に上記内部コネクタ端子と列方向相対向する位置からさらに上記対向隙間の一方側にまで延在する板状の絶縁遮蔽プレート部を備えており、
上記両コネクタ端子を接続した状態では、上記内部コネクタ端子からベゼル隣接隙間までの絶縁沿面距離が、列方向で重なる上記絶縁遮蔽プレート部と絶縁遮蔽ベゼル部とにより所定距離以上確保される、面状発光装置。
【発明の詳細な説明】
【技術分野】
【０００１】
本発明は、画像形成装置や液晶バックライト等として用いる面状発光装置にかかわり、より詳しくは、内部に高電位電極を有する複数の平面視矩形形状の発光タイルを少なくとも列方向に隣接配列し、各発光タイルは列方向一方側に上記高電位電極を外部に引き出す電極引出端子を備えた面状発光装置に関するものであり、特には、電極引出端子の絶縁沿面距離を確保することに関するものである。
【背景技術】
【０００２】
画像形成装置としての面状発光装置には、全体の外周面形状が矩形枠状であり、その矩形枠状内に、外周面形状が矩形形状やその他の形状をなす複数の発光タイルを行列配置すると共に、これら発光タイルの発光、非発光を制御するようにしたものがある（特許文献１参照）。
【０００３】
このような面状発光装置に用いる複数の発光タイルそれぞれは、平面視外形が共に同一の外形形状をなして相対向するフロント側とリア側の両パネルと、該両パネル間の外周縁間に介装されたサイドパネルとで内部が封止されていると共に、当該内部に発光源を設置したパネル構成となっている。
【０００４】
このような面状発光装置における各発光タイルには、内部に高電位と低電位の内部電極を対向配置したものがあり、これら内部電極に電圧を印加するために電極引出端子にてこれら内部電極を外部に引き出す必要がある。この内部電極の外部引き出しに際しては、面状発光装置全体の薄型化に支障を来たすことなく、かつ、外観からの配線構成が極力簡素で取り扱いに不便を来たさないようにするだけではなく、特には、高電位内部電極に高電位を印加するため当該高電位内部電極を外部に引き出すに際しては国際規格（ＩＥＣ６０９５０）で定められている絶縁沿面距離を確保することが必要である。
【特許文献１】特開２００７−２８０６３５号公報
【発明の開示】
【発明が解決しようとする課題】
【０００５】
したがって、本発明により解決すべき課題は、上記したごときの面状発光装置において、各発光タイルの高電位内部電極を外部に引き出すに際しての絶縁沿面距離を十分に確保できるようにすることにある。
【課題を解決するための手段】
【０００６】
本発明による面状発光装置は、装置筐体内に、平面視矩形形状で内部に高電位電極を有する複数の発光タイルを少なくとも列方向に隣接配列し、各発光タイルは列方向一方側に上記高電位電極を外部に引き出す電極引出端子を備えた面状発光装置であって、発光タイルを、その発光面側を底面上に載置した状態で、収納することができる構造となっている複数の発光タイル固定用のベゼルと、各発光タイルの列方向対向間近傍において上記隣り合う発光タイルの非発光面上にまたがるように装着される複数の絶縁性電極保持プレートと、を備え、上記発光タイルは、高電位電極を外部に引き出す電極引出端子と、この電極引出端子に接続されている内部コネクタ端子とを備えており、上記ベゼルは、その一部に、隣接する発光タイルの対向隙間に一方側から入り込むと共に上記内部コネクタ端子と列方向相対向する位置からさらに上記対向隙間の他方側にまで延在する板状の絶縁遮蔽ベゼル部を備えており、上記電極保持プレートは、列方向隣接する各発光タイルの対向隙間で、上記発光タイルの内部コネクタ端子にコネクタ接続されると共に絶縁モールドされた外部コネクタ端子を備え、上記電極保持プレートは、その一部に、隣接する発光タイルの対向隙間に他方側から入り込むと共に上記内部コネクタ端子と列方向相対向する位置からさらに上記対向隙間の一方側にまで延在する板状の絶縁遮蔽プレート部を備えており、上記両コネクタ端子を接続した状態では、上記内部コネクタ端子からベゼル隣接隙間までの絶縁沿面距離が、列方向で重なる上記絶縁遮蔽プレート部と絶縁遮蔽ベゼル部とにより所定距離以上確保されることを特徴とするものである。
【０００７】
上記面状発光装置は、それ自体で各発光タイルの発光を制御して全体で画像を形成する画像形成装置や、液晶表示パネルの背面側に配置して当該液晶表示パネルを照明するバックライト等に適用することができるものである。
【０００８】
上記複数の発光タイルの配列は行列方向に配列した場合はもちろんのこと、少なくとも列方向に隣接配列していれば当該配列に含み、また、その配列個数は２以上を含む。
【０００９】
上記複数の発光タイルの形状は平面視矩形形状に限定するものではなく、面状発光装置として全体が面状に発光することに貢献できる形状であればよい。
【００１０】
本発明においては、電極保持プレートの絶縁遮蔽プレート部が発光タイルの対向隙間に一方側から入り込むと共に上記内部コネクタ端子と列方向相対向する位置からさらに上記対向隙間の他方側にまで延在し、また、ベゼルの絶縁遮蔽ベゼル部が、発光タイルの対向隙間に他方側から入り込むと共に上記内部コネクタ端子と列方向相対向する位置からさらに上記対向隙間の一方側にまで延在している結果、内部コネクタ端子からベゼル隣接隙間までの絶縁沿面距離は、上記内部コネクタ端子に対して上記絶縁遮蔽プレート部と絶縁遮蔽ベゼル部とが列方向２重に重なる重なり高さの距離分を確保することができるようになる。その結果、内部コネクタ端子からベゼル底面側の対向隙間までの絶縁沿面距離は、国際規格で定められた絶縁沿面距離分を確保することができるようになる。
【発明の効果】
【００１１】
本発明の面状発光装置においては、面状発光装置全体の薄型構造を極力阻害しないようにしつつ、高電位内部電極を外部に引き出すための内部コネクタ端子から面状発光装置が持つ外部隙間までの絶縁沿面距離を十分に確保することができる。
【発明を実施するための最良の形態】
【００１２】
以下、添付した図面を参照して、本発明の実施の形態に係る面状発光装置を説明する。図１は同面状発光装置の外観構成を分解状態にて示し、図２は、同面状発光装置を図１のＰ方向から見てかつ一部切欠いて示し、図３は同面状発光装置を図１のＱ方向から見てかつ一部切欠いて示し、図４は図３のＡ−Ａ線断面構成を示し、図５は絶縁沿面距離の説明に供する図を示し、図６は同面状発光装置を液晶バックライトとして液晶表示パネルに組み込んだ状態を示す。図中、列方向、行方向を矢印で示す。図４、図５は特に紙面垂直方向が行方向となる。
【００１３】
まず、図１ないし図４を参照して、実施の形態の面状発光装置１は、平面視矩形形状の収納凹部３を有する装置筐体５と、この装置筐体５に行列配置される複数の発光タイル７と、各発光タイル７それぞれを単独で装置筐体５内に位置決めして固定する複数の発光タイル固定用のベゼル９と、装置筐体５の収納凹部３において発光タイル７の列方向間に固定配置される複数の電極保持プレート１１と、を備える。
【００１４】
ベゼル９は透明もしくは半透明の材料からなり、好ましくは、光拡散性を有する材料からなることで、発光タイル７からの発光光を出射することができるようになっている。発光タイル７とベゼル９とは一体化された発光タイル組品１０を構成する。
【００１５】
電極保持プレート１１は、長手方向（行方向）に後程詳述する複数の絶縁遮蔽プレート部１１ｂを備えている。これら絶縁遮蔽プレート部１１ｂは、各発光タイル７に対応して設けられている。
【００１６】
発光タイル７は平面視矩形形状であり、その発光面をベゼル９底面上に載置されてベゼル９に一体化されて発光タイル組品１０を構成する。発光タイル７は、列方向の電極保持プレート１１間に行列配置される。発光タイル７は、相対向するフロント側とリア側一対のガラス製両パネル１３，１５と、該両パネル１３，１５間に介装された４枚の樹脂製サイドパネル１７とで立方薄型形状に組み立てられ、その内部を真空封止されていると共に、フロントパネル１３内面に発光層１９と、高電位内部電極２１と、を層設し、リアパネル１５内面にカソード電極を構成する低電位内部電極２３と、上記発光層１９と相対向状態で電気的な作用で発光層に対する発光を誘起する機能を有した発光誘起膜２５から構成される。
【００１７】
列方向隣り合う発光タイル７のフロントパネル１３は対向方向に、その列方向一方側端部１３ａが突出延在している。
【００１８】
発光タイル７の高電位内部電極２１は電極引出端子２７により外部に引き出されている。電極引出端子２７は、自己のサイドパネル１７とフロントパネル１３との隙間からフロントパネル１３の一方側端部１３ａ上に延在している。そして、この電極引出端子２７には導電ゴム製の内部コネクタ端子２９が接続されている。
【００１９】
ベゼル９は、絶縁性をもち、発光タイル７を収納することができるものであり、その側面側に、隣接する発光タイル７の対向隙間に一方側から入り込むと共に内部コネクタ端子２９と列方向相対向する位置からさらに他方側にまで入り込み得る板状の絶縁遮蔽ベゼル部９ａを備える。
【００２０】
電極保持プレート１１は、絶縁樹脂からなり、当該電極保持プレート１１を列方向隣接する発光タイル７の背面間にまたがる状態で装着するためのプレート本体１１ａと、隣接する発光タイル７の対向隙間に他方側から入り込むと共に内部コネクタ端子２９と列方向相対向する位置からさらに一方側へと入り込み得る板状の絶縁遮蔽プレート部１１ｂと、を備える。プレート本体１１ａにはベゼル９の絶縁遮蔽ベゼル部９ａが挿通することができる平面視矩形状穴１１ｃが形成されている。
【００２１】
電極保持プレート１１の絶縁遮蔽プレート部１１ｂの側面には、発光タイル７のアノード電極とメタルバックとを兼用する高電位内部電極を外部に引き出す外部コネクタ端子１１ｄが樹脂モールドにより埋設されている。電極保持プレート１１は、さらにカソード電極である低電位内部電極を外部に引き出す外部コネクタ端子を備えるが、実施の形態ではそのコネクタ端子の図示を略している。
【００２２】
電極保持プレート１１内部には外部コネクタ端子１１ｄに接続されていて図示略の電源からの高電位を外部コネクタ端子１１ｄに印加するための電位印加電極１１ｅが内蔵されている。なお、電位印加電極１１ｅは一部のみ示し、その高電位の印加経路の図示は図解の都合で略している。この電極保持プレート１１において外部に電極が露出している箇所は外部コネクタ端子１１ｄのみである。
【００２３】
なお、ベゼル９の絶縁遮蔽ベゼル部９ａは、電極保持プレート１１の矩形状穴１１ｃに挿通され、先端は装置筐体５の下面に固定した取り付け台座５ａの固定穴５ｂに嵌入されて固定される。
【００２４】
以上の構成を備えた面状発光装置１においては、電極保持プレート１１は、装置筐体５に図示略の固定手段で列方向等間隔に配置して固定する一方、各ベゼル９それぞれに発光タイル７を収納して組品化する。そして、ベゼル９に収納して組品化した発光タイル７を上記列方向に並ぶ各電極保持プレート１１間に行列状に配置する。この配置状態で、電極保持プレート１１の絶縁遮蔽プレート部１１ｂは、発光タイル７の列方向対向隙間に一方側から他方側へと入り込むと共に、ベゼル９の絶縁遮蔽ベゼル部９ａも、発光タイル７の列方向対向隙間に他方側から一方側へと入り込む。
【００２５】
そして、発光タイル７側の内部コネクタ端子２９を電極保持プレート１１の外部コネクタ端子１１ｄにコネクタ接続することで、発光タイル７の高電位内部電極２１に高電位が印加される。
【００２６】
この場合、両コネクタ端子２９，１１ｂのコネクタ接続部位とベゼル９の列方向対向隙間との間には、列方向重なり合う電極保持プレート１１の絶縁遮蔽プレート部１１ｂとベゼル９の絶縁遮蔽ベゼル部９ａとが介在した状態となっている。
【００２７】
その結果、面状発光装置１は薄型で内部コネクタ端子２９から隣接するベゼル９の対向隙間までの空間距離は短いものの、その絶縁沿面距離は、電極保持プレート１１の絶縁遮蔽プレート部１１ｂとベゼル９の絶縁遮蔽ベゼル部９ａとにより図５で示す矢印経路となることにより、内部コネクタ端子２９から隣接するベゼル隣接隙間までの絶縁沿面距離は、列方向二重に重なる上記絶縁遮蔽プレート部１１ｂと絶縁遮蔽ベゼル部９ａとにより、国際規格（ＩＥＣ６０９５０）で規定される絶縁沿面距離を確保することができるようになる。
【００２８】
上述の実施の形態では、面状発光装置１は、画像形成装置を構成することができると共に、例えば、図６で示すように、液晶バックライト３０として液晶表示パネル３１の背面側に配置して当該液晶表示パネル３１を照明するバックライトとしても用いることができる。この表示パネルは液晶表示パネル以外には、例えばプラズマディスプレイ（ＰＤＰ）、発光ダイオードディスプレイ、有機または無機ＥＬディスプレイ、フィールドエミッションディスプレイ（ＦＥＤ）、エレクトロルミネセンスディスプレイ、蛍光表示管ディスプレイ、等の各種表示パネルがあり、これらにも適用することができる。
【００２９】
以上説明したように、本実施の形態では、電極保持プレート１１の絶縁遮蔽プレート部１１ｂが発光タイル７の隣接対向隙間に一方側から入り込むと共に内部コネクタ端子２９と列方向相対向する位置からさらに上記対向隙間の他方側にまで延在し、また、ベゼル９の絶縁遮蔽ベゼル部９ａが、発光タイル７の対向隙間に他方側から入り込むと共に内部コネクタ端子２９と列方向相対向する位置からさらに上記対向隙間の一方側にまで延在している結果、内部コネクタ端子２９からベゼル９の隣接隙間までの絶縁沿面距離は、国際規格で定められた絶縁沿面距離分を確保することができるようになる。
【図面の簡単な説明】
【００３０】
【図１】図１は、本発明の実施の形態に係る面状発光装置の外観構成を分解状態にて示す図である。
【図２】図２は同面状発光装置の非発光側である装置筐体からの平面構成を一部切欠いて示す図である。
【図３】図３は同面状発光装置の発光側であるベゼル側からの構成を一部切欠いて示す図である。
【図４】図４は図３のＡ−Ａ線断面構成を示す図である。
【図５】図５は絶縁沿面距離の説明に供する図である。
【図６】図６は実施の形態の面状発光装置を液晶バックライトとして液晶表示パネルに組み込んだ図である。
【符号の説明】
【００３１】
１  面状発光装置
３  収納凹部
５  装置筐体
７  発光タイル
９  ベゼル
９ａ  絶縁遮蔽ベゼル部
１１  電極保持プレート
１１ｂ  絶縁遮蔽プレート部
１１ｄ  外部コネクタ端子
２９  内部コネクタ端子
【図１】
2010033819.tif 000003
【図２】
2010033819.tif 000004
【図３】
2010033819.tif 000005
【図４】
2010033819.tif 000006
【図５】
2010033819.tif 000007
【図６】
2010033819.tif 000008